(57)【要約】【課題】プリント基板にはんだ付けされた状態で付与されるヒートサイクルによっても、金属端子とドラム状コアとの接着部分の剥がれを生じにくくし得る、コイル部品を提供する。【解決手段】金属端子１６の立上がり部２３とドラム状コア２の鍔部６の外側端面１２ｂとの双方に接する状態で接着剤層２６が形成される。接着剤層１６は、その厚みが互いに異なる肉厚部分２６ａと肉薄部分２６ｂとを有する。立上がり部２３の先端側に第１凹部３３が設けられ、立上がり部２３の底面８側に第２凹部３４が設けられ、第１凹部３３および第２凹部３４において、それぞれ、上記肉厚部分２６１ａが形成され、第１凹部３３と第２凹部３４とに挟まれた部分で上記肉薄部分２６ｂが形成される。ヒートサイクルによって接着剤層２６に及ぼされる応力を肉厚部分２６１ａにおいて厚み方向に分散し、肉薄部分２６ｂは、接着強度の向上を図るように作用する。【選択図】図９
2022002348.tif 000002
【特許請求の範囲】
【請求項１】
軸線方向に延びる巻芯部ならびに前記巻芯部の前記軸線方向における互いに逆の端部にそれぞれ設けられた１対の鍔部を有する、ドラム状コアと、
前記巻芯部に巻回された、ワイヤと、
前記ワイヤの互いに逆の端部にそれぞれ電気的に接続され、かつ各前記鍔部に取り付けられた、金属板からなる複数の金属端子と、
を備え、
各前記鍔部は、前記軸線方向に平行かつ実装時において実装基板側に向けられる底面と、前記底面から立ち上がる立上がり面と、を有し、
各前記金属端子は、各前記鍔部の前記底面を覆う座部と、各前記鍔部の前記立上がり面を覆う立上がり部と、前記座部と前記立上がり部とを接続する屈曲部と、を有し、
各前記金属端子の前記立上がり部と前記鍔部の前記立上がり面との双方に接する状態で形成された接着剤層をさらに備え、
前記接着剤層は、その厚みが互いに異なる肉厚部分と肉薄部分とを有し、
前記接着剤層と接する面における前記立上がり部の先端側に第１凹部が設けられ、前記立上がり部の前記底面側に第２凹部が設けられ、前記第１凹部および前記第２凹部において、それぞれ、前記肉厚部分が形成され、前記第１凹部と前記第２凹部とに挟まれた部分で前記肉薄部分が形成される、
コイル部品。
【請求項２】
軸線方向に延びる巻芯部ならびに前記巻芯部の前記軸線方向における互いに逆の端部にそれぞれ設けられた１対の鍔部を有する、ドラム状コアと、
前記巻芯部に巻回された、ワイヤと、
前記ワイヤの互いに逆の端部にそれぞれ電気的に接続され、かつ各前記鍔部に取り付けられた、金属板からなる複数の金属端子と、
を備え、
各前記鍔部は、前記軸線方向に平行かつ実装時において実装基板側に向けられる底面と、前記底面から立ち上がる立上がり面と、を有し、
各前記金属端子は、各前記鍔部の前記底面を覆う座部と、各前記鍔部の前記立上がり面を覆う立上がり部と、を有し、
各前記金属端子の前記立上がり部と前記鍔部の前記立上がり面との双方に接する状態で形成された接着剤層をさらに備え、
前記接着剤層は、その厚みが互いに異なる肉厚部分と肉薄部分とを有し、
各前記鍔部の前記立ち上がり面には、傾斜形状または凹部形状が付与され、それによって、前記接着剤層は、前記肉厚部分と前記肉薄部分とを有するようにされた、
コイル部品。
【請求項３】
各前記鍔部の前記底面と各前記金属端子の前記座部との間には、接着剤層が存在しない、請求項１または２に記載のコイル部品。
【請求項４】
各前記鍔部の前記底面と各前記金属端子の前記座部との間には、すき間が設けられる、請求項１ないし３のいずれかに記載のコイル部品。
【請求項５】
各前記金属端子の前記立上がり部の外方に向く面には、接着剤層が存在しない、請求項１ないし４のいずれかに記載のコイル部品。
【請求項６】
前記ワイヤの端部と前記金属端子との接続部には、溶接塊部が形成されている、請求項１ないし５のいずれかに記載のコイル部品。
【請求項７】
各前記鍔部は、前記巻芯部側とは反対側の外側に向く外側端面を有し、前記外側端面が前記立ち上がり面を構成する、請求項１ないし６のいずれかに記載のコイル部品。
【請求項８】
前記肉厚部分の厚みが４μｍ以上であり、前記肉薄部分の厚みが４μｍ未満である、請求項１ないし７のいずれかに記載のコイル部品。
【発明の詳細な説明】
【技術分野】
【０００１】
この発明は、コイル部品に関するもので、特に、ドラム状コアに金属板からなる金属端子が取り付けられた構造を有するコイル部品に関するものである。
【背景技術】
【０００２】
この発明にとって興味ある技術として、たとえば特開２０１５−３５４７３号公報（特許文献１）に記載されたものがある。特許文献１には、ドラム状コアに金属板からなる複数の金属端子が取り付けられた構造を有するコイル部品が記載されている。図１１は、特許文献１から引用したもので、特許文献１における図１に相当する。図１１には、コイル部品６１の外観が斜視図で示されている。
【０００３】
コイル部品６１は、コモンモードチョークコイルを構成するもので、たとえばフェライトからなるドラム状コア６２と、第１ワイヤ６３および第２ワイヤ６４とを備えている。ドラム状コア６２は、ワイヤ６３および６４がその周面上に巻回される巻芯部（ワイヤ６３，６４の下に隠れて図示されない。）を備えるとともに、巻芯部の互いに逆の端部にそれぞれ設けられた１対の鍔部、すなわち第１鍔部６５および第２鍔部６６を備えている。
【０００４】
第１鍔部６５には、金属板からなる２個の金属端子６７および６９が取り付けられる。第２の鍔部６６には、金属板からなる２個の金属端子６８および７０が取り付けられる。なお、金属端子７０については、第２の鍔部６６に隠れて図示されない。
【０００５】
第１ワイヤ６３の第１端は、第１鍔部６５に設けられた第１金属端子６７に接続され、第１ワイヤ６３の第１端とは逆の第２端は、第２鍔部６６に設けられた第２金属端子６８に接続される。また、第２ワイヤ６４の第１端は、第１鍔部６５に設けられた第３金属端子６９に接続され、第２ワイヤ６４の第１端とは逆の第２端は、第２鍔部６６に設けられた、図示されない第４金属端子７０に接続される。
【０００６】
金属端子６７〜７０の各々がどのような状態で鍔部６５および６６の各々に取り付けられているかについて説明する。
【０００７】
鍔部６５および６６の各々は、実装時において実装基板側に向けられる底面７１と、巻芯部側に向きかつ巻芯部の各端部を位置させる内側端面７２と、内側端面７２の反対側の外側に向く外側端面７３と、を有している。
【０００８】
他方、金属端子６７〜７０の各々は、鍔部６５および６６の各々の底面７１側に配置された座部７４と、座部７４から、底面７１と外側端面７３とが交差する稜線部分を覆う屈曲部７５を介して延び、鍔部６５および６６の各々の外側端面７３側に配置された立上がり部７６と、を有している。
【０００９】
金属端子６７〜７０の各々を鍔部６５および６６の各々に固定するため、接着剤が用いられる。接着剤は、金属端子６７〜７０の各々の立上がり部７６と鍔部６５および６６の各々の外側端面７３とが対向する部分に付与される。
【先行技術文献】
【特許文献】
【００１０】
【特許文献１】特開２０１５−３５４７３号公報
【発明の概要】
【発明が解決しようとする課題】
【００１１】
特許文献１に記載の構造では、通常、立上がり部７６を外側端面７３に向かって押し付けた状態を維持したまま、接着剤が硬化されるので、接着剤は、薄く均一な厚みを有する接着剤層を形成し、強固な接着状態を実現する。
【００１２】
上述のように、ドラム状コア６２に金属板からなる複数の金属端子６７〜７０が接着剤を介して取り付けられた構造を有するコイル部品６１が、プリント基板にはんだ付けされた状態において熱衝撃を受けると、金属端子６７〜７０とドラム状コア６２との接着部分が剥がれることがわかった。
【００１３】
これは、プリント基板とフェライトからなるドラム状コア６２との間で、ヒートサイクル時の膨張量および収縮量が比較的大きく異なるためである。すなわち、ヒートサイクルを受けたとき、フェライトからなるドラム状コア６２はあまり膨張および収縮しないが、プリント基板はそれに比べて大きく膨張および収縮する。そして、金属端子６７〜７０はプリント基板の挙動に追従する。その結果、金属端子６７〜７０とドラム状コア６２とを接着する接着剤層において亀裂が生じ、この亀裂が原因で接着部分が剥がれるという問題に遭遇することがあった。
【００１４】
そこで、この発明の目的は、プリント基板にはんだ付けされた状態で付与されるヒートサイクルによっても、金属端子とドラム状コアとの接着部分の剥がれを生じにくくし得る、コイル部品を提供しようとすることである。
【課題を解決するための手段】
【００１５】
この発明は、軸線方向に延びる巻芯部ならびに巻芯部の軸線方向における互いに逆の端部にそれぞれ設けられた１対の鍔部を有する、ドラム状コアと、巻芯部に巻回された、ワイヤと、ワイヤの互いに逆の端部にそれぞれ電気的に接続され、かつ各鍔部に取り付けられた、金属板からなる複数の金属端子と、を備える、コイル部品に向けられる。
【００１６】
各鍔部は、軸線方向に平行かつ実装時において実装基板側に向けられる底面と、底面から立ち上がる立上がり面と、を有する。他方、各金属端子は、各鍔部の底面を覆う座部と、各鍔部の立上がり面を覆う立上がり部と、を有する。
【００１７】
この発明に係るコイル部品は、各金属端子の立上がり部と鍔部の立上がり面との双方に接する状態で形成された接着剤層をさらに備える。そして、上述した技術的課題を解決するため、接着剤層は、その厚みが互いに異なる肉厚部分と肉薄部分とを有することを特徴としている。
【００１８】
より特定的には、この発明の第１の局面では、上記接着剤層と接する面における上記立上がり部の先端側に第１凹部が設けられ、立上がり部の上記底面側に第２凹部が設けられ、第１凹部および第２凹部において、それぞれ、上記肉厚部分が形成され、第１凹部と第２凹部とに挟まれた部分で上記肉薄部分が形成されることを特徴としている。
【００１９】
この発明の第２の局面では、各鍔部の立ち上がり面には、傾斜形状または凹部形状が付与され、それによって、接着剤層は、上記肉厚部分と上記肉薄部分とを有するようにされたことを特徴としている。
【発明の効果】
【００２０】
この発明によれば、接着剤層が厚みの互いに異なる肉厚部分と肉薄部分とを有するので、肉厚部分で接着剤層に及ぼされる応力を分散させて緩和する一方で、肉薄部分で接着強度を向上することができる。
【００２１】
したがって、この発明に係るコイル部品によれば、金属端子とドラム状コアとの間で高い接着強度を実現しながら、プリント基板にはんだ付けされた状態で付与されるヒートサイクルによっても、金属端子とドラム状コアとの接着部分の剥がれを生じにくくすることができる。
【図面の簡単な説明】
【００２２】
【図１】この発明の対象となるコイル部品の第１の形態例の外観を示す斜視図であり、（Ａ）は比較的上方から見た図、（Ｂ）は比較的下方から見た図である。
【図２】図１に示したコイル部品１における鍔部６への金属端子１６の取付け部分を示す、図１の線Ａ−Ａに沿う拡大断面図である。
【図３】コイル部品の第２の形態例を説明するための図２に相当する拡大断面図である。
【図４】コイル部品の第３の形態例を説明するための図２に相当する拡大断面図である。
【図５】コイル部品の第４の形態例を説明するための図２に相当する拡大断面図である。
【図６】コイル部品の第５の形態例を説明するための図２に相当する拡大断面図である。
【図７】コイル部品の第６の形態例を説明するための図２に相当する拡大断面図である。
【図８】コイル部品の第７の形態例を説明するための図２に相当する拡大断面図である。
【図９】コイル部品の第８の形態例を説明するための図２に相当する拡大断面図である。
【図１０】コイル部品の第９の形態例を説明するための図２に相当する拡大断面図である。
【図１１】特許文献１に記載のコイル部品６１の外観を示す斜視図である。
【発明を実施するための形態】
【００２３】
図１および図２を参照して、この発明の対象となるコイル部品の第１の形態例について説明する。図１に示したコイル部品１は、たとえばコモンモードチョークコイルを構成するものである。なお、図１において、２本のワイヤの主要部の図示は省略されている。
【００２４】
コイル部品１に備えるドラム状コア２は、巻回される２本のワイヤ３および４を配置するもので、軸線方向Ｄに延びる巻芯部５と、巻芯部５の軸線方向Ｄにおける互いに逆の端部にそれぞれ設けられた第１鍔部６および第２鍔部７と、を備える。ドラム状コア２は、好ましくは、フェライトから構成される。なお、ドラム状コア２は、フェライト以外の非導電性材料、たとえば、アルミナのような非磁性体、またはフェライト粉もしくは金属磁性粉を含有する樹脂などから構成されてもよい。
【００２５】
ドラム状コア２に備える巻芯部５ならびに第１鍔部６および第２鍔部７は、たとえば四角形の断面形状を有する四角柱形状をなしている。また、四角柱形状の巻芯部５ならびに鍔部６および７の各々の稜線部分には、好ましくは、アール面取りが施される。なお、巻芯部５ならびに第１鍔部６および第２鍔部７の断面形状は、四角形のほか、六角形などの多角形であっても、円形、楕円形であっても、これらの組み合わせであってもよい。
【００２６】
第１鍔部６は、軸線方向Ｄに平行かつ実装時において実装基板側に向けられる底面８と、底面８とは反対方向に向く天面１０と、底面８から立ち上がる立上がり面１２と、を有している。立上がり面１２は、実装基板に対して直交する方向にそれぞれ延びる、巻芯部５側に向く内側端面１２ａと、内側端面１２ａの反対側の外側に向く外側端面１２ｂと、内側端面１２ａおよび外側端面１２ｂ間を結ぶ第１側面１２ｃおよび第２側面１２ｄと、を有している。
【００２７】
第２鍔部７についても第１鍔部６の場合と同様であり、軸線方向Ｄに平行かつ実装時において実装基板側に向けられる底面９と、底面９とは反対方向に向く天面１１と、底面９から立ち上がる立上がり面１３と、を有している。立上がり面１３は、実装基板に対して直交する方向にそれぞれ延びる、巻芯部５側に向く内側端面１３ａと、内側端面１３ａの反対側の外側に向く外側端面１３ｂと、内側端面１３ａおよび外側端面１３ｂ間を結ぶ第１側面１３ｃおよび第２側面１３ｄと、を有している。
【００２８】
なお、鍔部６および７の外側端面１２ｂおよび１３ｂの各々の上辺に沿って突出する形状の段部は、本質的な特徴ではなく、形成されなくてもよい。
【００２９】
第１鍔部６には、第１金属端子１６および第３金属端子１８が互いに間隔を隔てて取り付けられる。第２鍔部７には、第２金属端子１７および第４金属端子１９が互いに間隔を隔てて取り付けられる。金属端子１６〜１９は、通常、たとえばリン青銅やタフピッチ銅などの銅系合金からなる金属板を加工することにより製造される。金属端子１６〜１９の材料となる金属板には、好ましくは、錫めっきが施される。金属板は、たとえば０．１ｍｍの厚みである。
【００３０】
第１金属端子１６および第３金属端子１８の各々は、図１に示されるように、第１鍔部６の底面８を覆う座部２０と、座部２０から、第１鍔部６の底面８と外側端面１２ｂとが交差する稜線部分２１を覆う屈曲部２２を介して延び、第１鍔部６の立上がり面１２を覆う立上がり部２３と、を有している。この形態例では、立上がり部２３は、第１鍔部６の外側端面１２ｂを覆っている。第１金属端子１６および第３金属端子１８の各々には、座部２０から延びる接続片２４がさらに形成されている。
【００３１】
なお、図１には、第２金属端子１７および第４金属端子１９の各一部しか図示されないが、上述した第１金属端子１６と第４金属端子１９とは、互いに同じ形状であり、第２金属端子１７と上述した第３金属端子１８とは、互いに同じ形状である。したがって、上述した第１金属端子１６および第３金属端子１８における座部、屈曲部、立上がり部および接続片をそれぞれ指すために用いた参照符号２０、２２、２３および２４は、必要に応じて、第２金属端子１７および第４金属端子１９における対応の部分をそれぞれ指すためにも用いることにする。
【００３２】
第１ワイヤ３の第１端は、第１金属端子１６の接続片２４に電気的に接続される。第１ワイヤ３の第１端とは逆の第２端は、第２金属端子１７の接続片２４に電気的に接続される。第２ワイヤ４の第１端は、第３金属端子１８の接続片２４に電気的に接続される。第２ワイヤ４の第１端とは逆の第２端は、第４金属端子１９の接続片２４に電気的に接続される。これらの電気的接続には、たとえば溶接が適用される。図１には、溶接によって形成された半球状に盛り上がる溶接塊部２５が図示されている。
【００３３】
ワイヤ３および４は、通常、断面円形であり、線状の中心導体と、中心導体の周面を覆う電気絶縁性樹脂からなる絶縁皮膜とを有する。ワイヤ３および４の径は、たとえば４０μｍである。中心導体の径は、たとえば３０μｍである。また、絶縁皮膜の厚みは、たとえば１０μｍである。中心導体は、たとえば銅、銀、金などの良導性金属からなる。絶縁皮膜は、ポリウレタン、ポリアミドイミドなどの樹脂からなる。
【００３４】
第１ワイヤ３および第２ワイヤ４は、図１において図示を省略したが、巻芯部５に同方向に螺旋状に巻回される。より具体的には、第１ワイヤ３および第２ワイヤ４は、いずれか一方を内層側に、いずれか他方を外層側に、というように２層巻きにされても、巻芯部２の軸線方向において各々のターンが交互に配列されかつ互いに同方向に並んだ状態で巻くバイファイラ巻きにされてもよい。
【００３５】
金属端子１６および１８は、接着剤によって、第１鍔部６に取り付けられ、金属端子１７および１９は、接着剤によって、第２鍔部７に取り付けられる。これら取付け部分の詳細について、図１の線Ａ−Ａに沿う断面を示した図２を参照して以下に説明する。図２では、第１金属端子１６の第１鍔部６への取付け部分が図示されている。
【００３６】
図２に示されるように、上述した接着剤からなる接着剤層２６が、第１金属端子１６の立上がり部２３と第１鍔部６の立上がり面１２、より特定的には、外側端面１２ｂとの双方に接する状態で形成されている。この接着剤層２６は、その厚み方向寸法が相対的に大きい肉厚部分２６ａと相対的に小さい肉薄部分２６ｂとを有している。これら肉厚部分２６ａと肉薄部分２６ｂとは、屈曲部２２と立上がり部２３の先端２３ａとを結ぶ方向に配列されている。
【００３７】
この形態例では、接着剤層２６は、肉厚部分２６ａを底面８からより遠い位置に位置させ、肉薄部分２６ｂを底面８により近い位置に位置させている。このような構成は、特に、以下のような本件発明者らによって見出された現象に対して有利に働く。
【００３８】
従来のコイル部品において、プリント基板にはんだ付けされた状態でのヒートサイクルによる接着部分の剥がれの原因となる亀裂は、ヒートサイクル数が多いほど進展すること、および立上がり部の先端側から座部に向かう方向に進行するという現象があることがわかった。
【００３９】
プリント基板にはんだ付けされた状態でのヒートサイクルによる接着部分の剥がれの原因となる亀裂は、立上がり部２３の先端２３ａ側から座部２０に向かう方向に進行するという上記現象に対して、この形態例によれば、厚み方向寸法が相対的に大きい肉厚部分２６ａが底面８からより遠い位置、すなわち、立上がり部２３の先端２３ａ側に位置しているので、亀裂が発生しようとする初期段階において接着剤層２６に及ぼされる応力が有利に分散される。したがって、接着剤層２６に亀裂が発生しにくく、かつ進みにくくすることができる。
【００４０】
また、厚み方向寸法が相対的に小さい接着剤層２６の肉薄部分２６ｂは、接着強度の向上に寄与している。肉薄部分２６ｂの厚みは、従来の構成において通常の押圧下で達成される接着剤層の厚みと同等となるので、好ましくは、４μｍ未満である。他方、肉厚部分２６ａの最小厚みは４μｍ以上であることが好ましい。接着剤層２６の厚みが上述のように選ばれることにより、応力の分散といった肉厚部分２６ａの効果と、接着強度の向上といった肉薄部分２６ｂの効果との双方がより確実に奏することができる。なお、肉厚部分２６ａの最小厚みが好ましくは４μｍ以上であることは、他の形態例においても当てはまる。
【００４１】
特に、この形態例では、鍔部６の底面８と外側端面１２ｂとは直交しており、金属端子１６の立上がり部２３は平板状である。このような構成の下、金属端子１６の座部２０と立上がり部２３とがなす角度は鈍角とされている。その結果、接着剤層２６の厚み方向寸法は、底面８から遠ざかるに従って、より大きくされる。この形態例のように、接着剤層２６の厚みは連続的に変化してもよく、肉厚部分２６ａと肉薄部分２６ｂとの境界が明確でなくてもよい。この場合であっても、肉厚部分２６ａおよび肉薄部分２６ｂの各々は、前述したような機能を十分に果たしている。
【００４２】
なお、図２において、鍔部６の底面８と金属端子１６の座部２０との間には、接着剤等の図示がないが、ここに接着剤が付与されてもよい。このことは、後で説明する他の形態例においても当てはまる。
【００４３】
図２に示した構造を得るため、通常、接着工程を実施する前の金属端子１６として、座部２０と立上がり部２３とがなす角度が鈍角のものが用意される。そして、金属端子１６をドラム状コア２に対して位置決めするとともに、所定の領域に接着剤が付与され、座部２０と立上がり部２３とがなす角度が鈍角となっている状態を維持したまま、接着剤が硬化される。
【００４４】
なお、従来は、薄く均一な厚みを有する接着剤層を形成し、強固な接着状態を実現するため、接着工程において、金属端子の立上がり部を鍔部の外側端面に向かって押し付け、この状態を維持したまま、接着剤が硬化されるが、この形態例では、金属端子１６の立上がり部２３を鍔部６の外側端面１２ｂに向かって押し付けることがあっても、座部２０と立上がり部２３とがなす角度が鈍角となっている状態を維持するようにされる。したがって、たとえば、立上がり部２３の底面８側だけを押圧する程度なら許容される。
【００４５】
接着剤層２６を構成する接着剤としては、たとえばエポキシ系接着剤が用いられる。この場合、エポキシ系接着剤は、シリコーン粒子または硫酸バリウム粒子等のフィラーを含んでいてもよい。
【００４６】
コイル部品１は、図１に示されるように、第１鍔部６の天面１０および第２鍔部７の天面１１間に渡された板状コア４２をさらに備えていてもよい。板状コア４２についても、ドラム状コア２の場合と同様、好ましくは、フェライトから構成される。また、板状コア４２は、フェライト以外の非導電性材料、たとえば、アルミナのような非磁性体、またはフェライト粉もしくは金属磁性粉を含有する樹脂などから構成されてもよい。
【００４７】
板状コア４２は、図示しない接着剤によって、第１鍔部６の天面１０および第２鍔部７の天面１１に接着される。これによって、板状コア４２は、ドラム状コア２と協働して閉磁路を形成することができる。接着剤としては、たとえば、シリカフィラー含有のエポキシ樹脂からなるものが用いられる。なお、板状コア４２と鍔部６および７との間のギャップを狭くするため、フィラーを含有しない接着剤が用いられてもよい。
【００４８】
以下、図３ないし図１０を参照して、他の形態例について説明する。図３ないし図１０において、図２に示した要素に相当する要素には同様の参照符号を付し、重複する説明を省略する。
【００４９】
図３に示した第２の形態例では、金属端子１６の立上がり部２３における、接着剤層２６と接する面の一部、より具体的には、接着剤層２６と接する面における立上がり部２３の先端２３ａ側に、凹部２７が設けられている。したがって、凹部２７において接着剤層２６の肉厚部分２６ａが形成され、凹部２７以外の部分で接着剤層２６の肉薄部分２６ｂが形成される。このように、凹部２７があると、肉厚部分２６ａと肉薄部分２６ｂとを容易に形成することができる。
【００５０】
上述した立上がり部２３への凹部２７の形成は、立上がり部２３の一部を肉薄にする、たとえばコイニング加工によって実現することができる。
【００５１】
図４に示した第３の形態例では、図３に示した第２の形態例の場合と同様、金属端子１６の立上がり部２３における、接着剤層２６と接する面の一部、より具体的には、接着剤層２６と接する面における立上がり部２３の先端２３ａ側に、凹部２８が設けられている。したがって、凹部２８において接着剤層２６の肉厚部分２６ａが形成され、凹部２８以外の部分で接着剤層２６の肉薄部分２６ｂが形成される。この実施形態の場合にも、凹部２８があることによって、肉厚部分２６ａと肉薄部分２６ｂとを容易に形成することができる。
【００５２】
上述した立上がり部２３への凹部２８の形成は、立上がり部２３の一部を押し出す、たとえばエンボシング加工によって実現することができる。
【００５３】
図３に示した第２の形態例および図４に示した第３の形態例によれば、図２に示した第１の形態例の場合と同様の作用効果を奏することができる。
【００５４】
図５に示した第４の形態例では、接着剤層２６の肉厚部分２６ａと肉薄部分２６ｂとの位置関係が第１の形態例の場合とは逆で、接着剤層２６は、肉薄部分２６ｂを底面８からより遠い位置に位置させ、肉厚部分２６ａを底面８により近い位置に位置させている。プリント基板にはんだ付けされた状態でのヒートサイクルによる接着部分の剥がれの原因となる亀裂は、立上がり部２３の先端２３ａ側から座部２０に向かう方向に進行するという前述した現象に対して、この形態例によれば、厚み方向寸法が相対的に大きい肉厚部分２６ａが底面８により近い位置に位置しているので、亀裂が進行し終わる最終段階において接着剤層２６に及ぼされる応力が有利に分散される。したがって、接着剤層２６に亀裂が完全に進行しきることを防止でき、よって、接着力がゼロになることを防止できる。
【００５５】
また、厚み方向寸法が相対的に小さい接着剤層２６の肉薄部分２６ｂは、接着強度の向上に寄与している。
【００５６】
特に、第４の形態例においても、第１の形態例の場合と同様、鍔部６の底面８と外側端面１２ｂとは直交しており、金属端子１６の立上がり部２３は平板状である。このような構成の下、金属端子１６の座部２０と立上がり部２３とがなす角度は鋭角とされている。その結果、接着剤層２６の厚み方向寸法は、底面８に近づくに従って、より大きくされる。したがって、この形態例においても、第１の形態例の場合と同様、接着剤層２６の厚みは連続的に変化してもよく、肉厚部分２６ａと肉薄部分２６ｂとの境界が明確でなくてもよい。この場合であっても、肉厚部分２６ａおよび肉薄部分２６ｂの各々は、前述したような機能を十分に果たしている。
【００５７】
図５に示した構造を得るため、通常、接着工程を実施する前の金属端子１６として、座部２０と立上がり部２３とがなす角度が鋭角のものが用意される。そして、金属端子１６をドラム状コア２に対して位置決めするとともに、所定の領域に接着剤が付与され、座部２０と立上がり部２３とがなす角度が鋭角となっている状態を維持したまま、接着剤が硬化される。すなわち、接着工程において、金属端子１６の立上がり部２３を鍔部６の外側端面１２ｂに向かって押し付けることがあっても、座部２０と立上がり部２３とがなす角度が鋭角となっている状態を維持するようにされる。したがって、たとえば、立上がり部２３の先端２３ａだけを押圧する程度なら許容される。
【００５８】
図６に示した第５の形態例では、金属端子１６の立上がり部２３における、接着剤層２６と接する面の一部、より具体的には、接着剤層２６と接する面における立上がり部２３の底面８側に、凹部２９が設けられている。したがって、凹部２９において接着剤層２６の肉厚部分２６ａが形成され、凹部２９以外の部分で接着剤層２６の肉薄部分２６ｂが形成される。この形態例の場合にも、凹部２９があることによって、肉厚部分２６ａと肉薄部分２６ｂとを容易に形成することができる。なお、同様の効果は、第７ないし図１０に示した第６ないし第９の形態例においても奏される。
【００５９】
上述した立上がり部２３への凹部２９の形成は、立上がり部２３の一部を肉薄にする、たとえばコイニング加工によって実現することができる。
【００６０】
図７に示した第６の形態例では、図６に示した第５の形態例の場合と同様、金属端子１６の立上がり部２３における、接着剤層２６と接する面の一部、より具体的には、接着剤層２６と接する面における底面８側に、凹部３０が設けられている。したがって、凹部３０において接着剤層２６の肉厚部分２６ａが形成され、凹部３０以外の部分で接着剤層２６の肉薄部分２６ｂが形成される。
【００６１】
上述した立上がり部２３への凹部３０の形成は、立上がり部２３の一部を押し出す、たとえばエンボシング加工によって実現することができる。
【００６２】
図６に示した第５の形態例および図７に示した第６の形態例によれば、図５に示した第４の形態例の場合と同様の作用効果を奏することができる。
【００６３】
図８に示した第７の形態例および図９に示した第８の形態例は、この発明の第１の局面での範囲内の実施形態である。
【００６４】
図８に示した第７の形態例では、金属端子１６の立上がり部２３における、接着剤層２６と接する面の一部、より具体的には、接着剤層２６と接する面における立上がり部２３の先端２３ａ側に、第１凹部３１が設けられ、接着剤層２６と接する面における立上がり部２３の底面８側に、第２凹部３２が設けられている。したがって、第１凹部３１および第２凹部３２において、それぞれ、接着剤層２６の第１肉厚部分２６１ａおよび第２肉厚部分２６２ａが形成され、凹部３１および３２以外の部分、すなわち、第１凹部３３と第２凹部３４とに挟まれた部分で接着剤層２６の肉薄部分２６ｂが形成される。
【００６５】
上述した立上がり部２３への凹部３１および３２の形成は、立上がり部２３の一部を押し出す、たとえばエンボシング加工によって実現することができる。
【００６６】
図８に示した第７の形態例では、厚み方向寸法が相対的に大きい第１肉厚部分２６１ａおよび第２肉厚部分２６２ａが、それぞれ、立上がり部２３の先端２３ａ側の位置および底面８により近い位置に位置している。したがって、第７の形態例によれば、第１ないし第３の形態例において得られた作用効果と第４ないし第６の形態例において得られた作用効果との双方を奏することができる。
【００６７】
より具体的には、プリント基板にはんだ付けされた状態でのヒートサイクルによる接着部分の剥がれの原因となる亀裂は、立上がり部２３の先端２３ａ側から底面８に向かう方向に進行するという前述した現象に対して、まず、立上がり部２３の先端２３ａ側の位置にある第１凹部３１によって規定される第１肉厚部分２６１ａが、亀裂が発生しようとする初期段階において接着剤層２６に及ぼされる応力を有利に分散する。したがって、接着剤層２６に亀裂が発生しにくく、かつ進みにくくすることができる。次いで、立上がり部２３の底面８により近い第２凹部３２によって規定される第２肉厚部分２６２ａが、亀裂が進行し終わる最終段階において接着剤層２６に及ぼされる応力を有利に分散する。したがって、接着剤層２６に亀裂が完全に進行しきることを防止でき、よって、接着力がゼロになることを防止できる。
【００６８】
また、厚み方向寸法が相対的に小さい接着剤層２６の肉薄部分２６ｂは、接着強度の向上に寄与している。
【００６９】
図９に示した第８の形態例では、図８に示した第７の形態例の場合と同様、金属端子１６の立上がり部２３における、接着剤層２６と接する面の一部、より具体的には、接着剤層２６と接する面における立上がり部２３の先端２３ａ側に、第１凹部３３が設けられ、接着剤層２６と接する面における立上がり部２３の底面８側に、第２凹部３４が設けられている。したがって、第１凹部３３および第２凹部３４において、それぞれ、接着剤層２６の第１肉厚部分２６１ａおよび第２肉厚部分２６１ａが形成され、凹部３３および３４以外の部分、すなわち、第１凹部３１と第２凹部３２とに挟まれた部分で接着剤層２６の肉薄部分２６ｂが形成される。
【００７０】
上述した立上がり部２３への凹部３３および３４の形成は、立上がり部２３の一部を肉薄にする、たとえばコイニング加工によって実現することができる。
【００７１】
図９に示した第８の形態例によれば、図８に示した第７の形態例の場合と同様の作用効果を奏することができる。
【００７２】
図１０に示した第９の形態例では、金属端子１６の立上がり部２３における、接着剤層２６と接する面の一部に、より具体的には、立上がり部２３の先端２３ａ部と屈曲部２２との中間位置に、凹部３５が設けられている。したがって、凹部３５において接着剤層２６の肉厚部分２６ａが形成され、凹部３５以外の部分、すなわち、凹部３５を上下から挟む２つの部分で接着剤層２６の肉薄部分２６１ｂおよび２６２ｂが形成される。なお、上述の立上がり部２３の先端２３ａ部と屈曲部２２との中間位置とは、立上がり部２３の先端２３ａ部と屈曲部２２との中点位置に限らず、当該中点位置より天面１０側あるいは底面８側に、ある程度寄っていてもよい。
【００７３】
上述した立上がり部２３への凹部３５の形成は、立上がり部２３の一部を肉薄にする、たとえばコイニング加工によって実現することができる。なお、凹部３５の形成は、エンボシング加工によってもよい。
【００７４】
図１０に示した第９の形態例に備える構成において、接着剤層２６の中間位置にある肉厚部分２６ａと立上がり部２３の先端２３ａ側にある肉薄部分２６１ｂとを有する構成は、図６に示した接着剤層２６が与える肉厚部分２６ａと肉薄部分２６ｂとを有する構成に相当する。また、接着剤層２６の中間位置にある肉厚部分２６ａと屈曲部２２側にある肉薄部分２６２ｂとを有する構成は、図３に示した接着剤層２６が与える肉厚部分２６ａと肉薄部分２６ｂとを有する構成に相当する。
【００７５】
したがって、図１０に示した第９の形態例によれば、図６に示した第５の形態例が奏する作用効果と図３に示した第２の形態例が奏する作用効果との双方を奏することができる。言い換えると、図１０に示した第９の形態例によれば、図８に示した第７の形態例および図９に示した第８の形態例の場合と同様の作用効果を奏することができる。
【００７６】
第９の形態例は、上述した第１ないし第８の形態例の場合と同様、図１０に示すように、鍔部６の底面８と金属端子１６の座部２０との間には、接着剤層が存在しないという特徴、鍔部６の底面８と金属端子１６の座部２０との間には、すき間が設けられるという特徴、ならびに、金属端子１６の立上がり部２３の外方に向く面には、接着剤層が存在しないという特徴を有している。
【００７７】
上述の図２ないし図１０を参照しながらの第１ないし第９の形態例の説明は、コイル部品１における第１鍔部６への第１金属端子１６の取付け部分について行なったが、当該取付け部分の構成と同様の構成が、第１鍔部６への第３金属端子１８、ならびに第２鍔部７への第２金属端子１７および第４金属端子１９の各取付け部分においても適用されていてもよいし、適用されていなくてもよい。また、第１から第４金属端子１６〜１９の取付け部分に適用される形状がそれぞれ異なっていてもよく、第１ないし第９の形態例の構成を適宜組み合わせてもよい。
【００７８】
以上、この発明に係るコイル部品を、より具体的なコモンモードチョークコイルに関する実施形態に基づいて説明したが、この形態例は、例示的なものであり、その他種々の変形例が可能である。
【００７９】
たとえば、図示した形態例では、金属端子側の形状によって接着剤層の肉厚部分と肉薄部分とを形成したが、この発明の第２の局面では、鍔部側の形状によって、すなわち、鍔部を傾斜形状や凹部形状とすることによって、接着剤層の肉厚部分と肉薄部分とを形成してもよく、さらには、金属端子および鍔部の両方の形状を組み合わせて、接着剤層の肉厚部分と肉薄部分とを形成してもよい。
【００８０】
また、金属端子の立上がり部は、本質的には鍔部の底面から立ち上がる立上がり面を覆うように設けられていればよい。したがって、金属端子の立上がり部は、鍔部の外側端面を覆う構成に限られず、鍔部の側面を覆う構成であってもよい。
【００８１】
また、コイル部品に備えるワイヤの本数およびワイヤの巻回方向、ならびに金属端子の個数等は、コイル部品の機能に応じて変更され得る。
【００８２】
また、本明細書に記載の各形態例は、例示的なものであり、異なる形態例間において、構成の部分的な置換または組み合わせが可能である。
【符号の説明】
【００８３】
１  コイル部品
２  ドラム状コア
３，４  ワイヤ
５  巻芯部
６，７  鍔部
８，９  底面
１０，１１  天面
１２，１３  立上がり面
１２ｂ，１３ｂ  外側端面
１６〜１９  金属端子
２０  座部
２１  稜線部分
２２  屈曲部
２３  立上がり部
２６  接着剤層
２６ａ，２６１ａ，２６２ａ  肉厚部分
２６ｂ，２６１ｂ，２６２ｂ  肉薄部分
２７〜３５  凹部
Ｄ  軸線方向
【図１】
2022002348.tif 000003
【図２】
2022002348.tif 000004
【図３】
2022002348.tif 000005
【図４】
2022002348.tif 000006
【図５】
2022002348.tif 000007
【図６】
2022002348.tif 000008
【図７】
2022002348.tif 000009
【図８】
2022002348.tif 000010
【図９】
2022002348.tif 000011
【図１０】
2022002348.tif 000012
【図１１】
2022002348.tif 000013